(57)【要約】      （修正有）【課題】室外回路と室内回路とが連絡配管で接続された空気調和装置において、空気調和装置の性能に配慮しつつ連絡配管内に残った異物を捕捉できるようにする。【解決手段】第１冷媒配管４及び第２冷媒配管５を並列に接続した並列配管８と、第１冷媒配管４のみに装着されて冷媒中の異物を捕捉する冷媒配管用フィルタ２と、第１冷媒配管４へ冷媒を流す第１状態及び第２冷媒配管５へ冷媒を流す第２状態とに切り換え自在な第１、第２閉鎖弁６、７とを備えたフィルタキット１をガス側連絡配管１６に設ける。【選択図】図１
2009192181.tif 000002
【特許請求の範囲】
【請求項１】
利用側回路（14）と熱源側回路（13）とが液側連絡配管（15）及びガス側連絡配管（16）で接続されて冷凍サイクルを行う冷媒回路（17）が構成された冷凍装置であって、
上記ガス側連絡配管（16）は、第１冷媒配管（4）及び第２冷媒配管（5）を並列に接続した並列配管（8）と、該第１冷媒配管（4）のみに装着されて冷媒中の異物を捕捉する冷媒配管用フィルタ（2）と、第１冷媒配管（4）へ冷媒を流す第１状態及び第２冷媒配管（5）へ冷媒を流す第２状態とに切り換え自在な切換手段（6,7）とを備えていることを特徴とする冷凍装置。
【請求項２】
請求項１において、
上記熱源側回路（13）が複数設けられ、
上記ガス側連絡配管（16）は、主配管（16a）と該主配管（16a）から分岐した複数の分岐配管（16b）とを備えるとともに、各分岐配管（16b）の管端が各熱源側回路（13）の端部にそれぞれ接続され、
上記分岐配管（16b）に、上記並列配管（8）と上記冷媒配管用フィルタ（2）と上記切換手段（6,7）とが設けられていることを特徴とする冷凍装置。
【請求項３】
請求項１又は２において、
上記冷媒回路（17）には、上記利用側回路（14）又は上記熱源側回路（13）に常設されて冷媒中の異物を捕捉する常設用フィルタ（34）が取り付けられ、
上記冷媒配管用フィルタ（2）及び常設用フィルタ（34）の内部には、それぞれ冷媒中の異物を捕捉するメッシュ部材（2a）が設けられ、
上記冷媒配管用フィルタ（2）におけるメッシュ部材（2a）のメッシュサイズは、常設用フィルタ（34）におけるメッシュ部材（2a）のメッシュサイズよりも小さく形成されていることを特徴とする冷凍装置。
【請求項４】
請求項１から３の何れか１つにおいて、
上記切換手段（6,7）は、上記第１冷媒配管（4）を開閉する第１開閉弁（6）と、上記第２冷媒配管（5）を開閉する第２開閉弁（7）とを備え、
上記第１状態では、第１開閉弁（6）が開状態に、第２開閉弁（7）が閉状態にそれぞれ設定され、上記第２状態では、第１開閉弁（6）が閉状態に、第２開閉弁（7）が開状態にそれぞれ設定されることを特徴とする冷凍装置。
【請求項５】
請求項４において、
上記第１開閉弁（6）は、上記冷媒配管用フィルタ（2）に対して利用側回路（14）側に設けられていることを特徴とする冷凍装置。
【請求項６】
利用側回路（14）と熱源側回路（13）とが液側連絡配管（15）及びガス側連絡配管（16）で接続されて冷凍サイクルを行う冷媒回路（17）が構成された冷凍装置について、上記冷媒回路（17）内に残った異物を捕捉する冷凍装置の異物捕捉方法であって、
上記ガス側連絡配管（16）は、第１冷媒配管（4）及び第２冷媒配管（5）を並列に接続した並列配管（8）と、該第１冷媒配管（4）のみに装着されて冷媒中の異物を捕捉する冷媒配管用フィルタ（2）と、第１冷媒配管（4）へ冷媒を流す第１状態及び第２冷媒配管（5）へ冷媒を流す第２状態とに切り換え自在な切換手段（6,7）とを備え、
試運転中に上記切換手段（6,7）を第１状態に切り換えて、冷媒回路（17）に冷凍サイクルを行わせ、冷媒中の異物を冷媒配管用フィルタ（2）で捕捉する第１工程と、試運転後に上記切換手段（6,7）を第２状態に切り換えて、冷媒回路（17）に冷凍サイクルを行わせる第２工程とを順に行うことを特徴とする冷凍装置の異物捕捉方法。
【発明の詳細な説明】
【技術分野】
【０００１】
本発明は、冷凍サイクルを行う冷媒回路を備えた冷凍装置に関し、特に冷媒回路内の異物を回収する技術に関するものである。
【背景技術】
【０００２】
従来より、冷媒が循環して冷凍サイクルを行う冷媒回路を備えた冷凍装置が知られている。そして、この冷凍装置の中には、熱源側回路を備えた室外ユニットと利用側回路を備えた室内ユニットとを別体で構成した、いわゆるセパレート型の冷凍装置がある（例えば、特許文献１）。
【０００３】
この種の冷凍装置の設置工事は、室外ユニット及び室内ユニットをそれぞれの据付場所に据え付けた後、連絡配管で両ユニットを接続することにより行われる。一般に、この連絡配管の取り回しは複雑になることが多い。したがって、設置現場において、複数の配管をロウ付けで接合しながら複雑な取り回しの連絡配管を作製する。
【０００４】
具体的に、長尺の配管を所望の長さに切断する。そして、上述した取り回しに合わせて、この切断した各配管の端部と端部を継ぎ合わせる。継ぎ合わせた部分をガスバーナー等で加熱し、この加熱した部分にロウ材を押し付けて溶かす。そして、この溶けたロウ材を継ぎ合わせた部分の隙間に流し込んで各配管同士を接合する。この配管の継ぎ合わせと継ぎ合わせた部分のロウ付けとを繰り返し行いながら、連絡配管を延ばしていき、最終的に両方のユニットを接合する。
【特許文献１】特開２００３−３１４９０９号公報
【発明の開示】
【発明が解決しようとする課題】
【０００５】
ところで、上記連絡配管の作製時に生じた異物が、該連絡配管内に残ることが考えられる。ここで、この異物とは、長尺の配管の切断時に発生する金属紛、又はロウ付け時に加熱した配管の内面部分に生じる酸化物等である。そして、冷凍装置の運転時において、仮にこれらの異物が連絡配管内に残った場合、これらの異物が冷媒回路を循環する冷媒に押し流されて上記熱源側回路の圧縮機に入り込み、該圧縮機の故障を引き起こすことが考えられる。
【０００６】
一方、従来から冷凍装置の冷媒回路には、冷媒中の異物を除去するためのフィルタが設けられている。しかしながら、このフィルタの仕様は、上記連絡配管の作製時に生じたこれらの異物を完全に捕捉できるように設計されていない。そこで、現行仕様の常設フィルタでは捕捉できない細かな異物も捕捉できるように、フィルタの仕様を変更しようとすると、従来よりもフィルタの大きさが大きくなったり、フィルタのメッシュサイズが小さくなったりして、フィルタの流動抵抗が大きくなることが考えられる。このような仕様の変更は、冷凍装置の性能が低下するため好ましくない。
【０００７】
本発明は、かかる点に鑑みてなされたものであり、その目的は、熱源側回路と利用側回路とが連絡配管で接続された冷凍装置において、冷凍装置の性能に配慮しつつ連絡配管内に残った異物を捕捉することにある。
【課題を解決するための手段】
【０００８】
第１の発明は、利用側回路（14）と熱源側回路（13）とが液側連絡配管（15）及びガス側連絡配管（16）で接続されて冷凍サイクルを行う冷媒回路（17）が構成された冷凍装置を前提としている。
【０００９】
そして、上記冷凍装置のガス側連絡配管（16）は、第１冷媒配管（4）及び第２冷媒配管（5）を並列に接続した並列配管（8）と、該第１冷媒配管（4）のみに装着されて冷媒中の異物を捕捉する冷媒配管用フィルタ（2）と、第１冷媒配管（4）へ冷媒を流す第１状態及び第２冷媒配管（5）へ冷媒を流す第２状態とに切り換え自在な切換手段（6,7）とを備えていることを特徴としている。ここで、上記ガス側連絡配管（16）は、利用側回路（14）に設けられた利用側熱交換器で蒸発したガス冷媒が流れるように構成されている。
【００１０】
第１の発明では、連絡配管（15,16）内の異物を捕捉したい場合には、上記切換手段（6,7）を第１状態に設定し、連絡配管（15,16）内の異物を捕捉する必要がない場合には、上記切換手段（6,7）を第２状態に設定することができる。
【００１１】
例えば、冷凍装置の設置工事の際に、予め並列配管（8）と冷媒配管用フィルタ（2）と切換手段（6,7）とをガス側連絡配管（16）に取り付けておく。設置工事終了後、切換手段（6,7）を第１状態にして冷房試運転を行う。この冷房試運転において、圧縮機（18）の起動により冷媒回路（17）内を流れる冷媒が連絡配管（15,16）内の異物を該圧縮機（18）の吸入側に向かって押し流す。そして、この異物は、冷媒とともに第１冷媒配管（4）に流入し、上記冷媒配管用フィルタ（2）で捕捉される。これにより、熱源側回路（13）に設けられた圧縮機（18）内に異物が入り込むのを防止することができる。
【００１２】
一方、上記冷媒配管用フィルタ（2）で連絡配管（15,16）内の異物を捕捉した後は、上記切換手段（6,7）を第２状態にする。ここで、上記切換手段（6,7）を第２状態にする理由は、第１状態のまま冷凍装置の運転を継続すると、冷媒配管用フィルタ（2）による流動損失の影響で冷凍装置の性能が低下してしまうことが考えられるからである。したがって、上記切換手段（6,7）を第１状態から第２状態へ切り換えることにより、冷凍装置の性能が低下しないようにすることができる。
【００１３】
第２の発明は、第１の発明において、上記熱源側回路（13）が複数設けられ、上記ガス側連絡配管（16）は、主配管（16a）と該主配管（16a）から分岐した複数の分岐配管（16b）とを備えるとともに、各分岐配管（16b）の管端が各熱源側回路（13）の端部にそれぞれ接続され、上記分岐配管（16b）に、上記並列配管（8）と上記冷媒配管用フィルタ（2）と上記切換手段（6,7）とが設けられていることを特徴としている。ここで、上記ガス側連絡配管（16）は、利用側回路（14）に設けられた利用側熱交換器で蒸発したガス冷媒が流れるように構成されている。
【００１４】
第２の発明では、上記並列配管（8）と上記冷媒配管用フィルタ（2）と上記切換手段（6,7）とを上記主配管（16a）に設けた場合に比べて、確実に連絡配管（15,16）内の異物を上記冷媒配管用フィルタ（2）で捕捉することができる。
【００１５】
つまり、上記並列配管（8）と上記冷媒配管用フィルタ（2）と上記切換手段（6,7）とを上記主配管（16a）に設けると、上記冷媒配管用フィルタ（2）の下流側に分岐配管（16b）が位置することになる。こうなると、設置作業の終了時に分岐配管（16b）内に残った異物は、冷媒配管用フィルタ（2）で捕捉されないまま、冷媒とともに熱源側回路（13）へ押し流されてしまう。
【００１６】
したがって、上記並列配管（8）と上記冷媒配管用フィルタ（2）と上記切換手段（6,7）とを各分岐配管（16b）に設けることにより、上記並列配管（8）と上記冷媒配管用フィルタ（2）と上記切換手段（6,7）とを上記主配管（16a）に設ける場合に比べて、確実に連絡配管（15,16）内の異物を上記冷媒配管用フィルタ（2）で捕捉することができる。
【００１７】
第３の発明は、第１又は第２の発明において、上記冷媒回路（17）には、上記利用側回路（14）又は上記熱源側回路（13）に常設されて冷媒中の異物を捕捉する常設用フィルタ（34）が取り付けられ、上記冷媒配管用フィルタ（2）及び常設用フィルタ（34）の内部には、それぞれ冷媒中の異物を捕捉するメッシュ部材（2a）が設けられ、上記冷媒配管用フィルタ（2）におけるメッシュ部材（2a）のメッシュサイズは、常設用フィルタ（34）におけるメッシュ部材（2a）のメッシュサイズよりも小さく形成されていることを特徴としている。
【００１８】
第３の発明では、上記冷媒配管用フィルタ（2）のメッシュサイズを、常設用フィルタ（34）のメッシュサイズよりも小さくすることができる。つまり、常設用フィルタ（34）は、なるべく冷媒の流動抵抗とならないようにするため、メッシュサイズをある程度以上小さくすることができない。しかし、上記切換手段（6,7）を第２状態に切り換えることにより、上記冷媒配管用フィルタ（2）内を冷媒が流れないようにすることができる。したがって、上記冷媒配管用フィルタ（2）のメッシュサイズを、常設用フィルタ（34）のメッシュサイズよりも小さくできる。
【００１９】
第４の発明は、第１から第３の何れか１つの発明において、上記切換手段（6,7）は、上記第１冷媒配管（4）を開閉する第１開閉弁（6）と、上記第２冷媒配管（5）を開閉する第２開閉弁（7）とを備え、上記第１状態では、第１開閉弁（6）が開状態に、第２開閉弁（7）が閉状態にそれぞれ設定され、上記第２状態では、第１開閉弁（6）が閉状態に、第２開閉弁（7）が開状態にそれぞれ設定されることを特徴としている。
【００２０】
第４の発明では、上記切換手段（6,7）として、第１開閉弁（6）及び第２開閉弁（7）を用いることにより、第１状態から第２状態へ、又は第２状態から第１状態へ確実に切り換えることができる。
【００２１】
第５の発明は、第４の発明において、上記第１開閉弁（6）は、上記冷媒配管用フィルタ（2）に対して利用側回路（14）側に設けられていることを特徴としている。
【００２２】
第５の発明では、第１状態から第２状態へ切り換えた場合において、上記第１開閉弁（6）を閉じることにより、第１状態で冷媒配管用フィルタ（2）が捕捉した異物を、該冷媒配管用フィルタ（2）と第１開閉弁（6）との間に閉じ込めることができる。
【００２３】
第６の発明は、利用側回路（14）と熱源側回路（13）とが液側連絡配管（15）及びガス側連絡配管（16）で接続されて冷凍サイクルを行う冷媒回路（17）が構成された冷凍装置について、上記冷媒回路（17）内に残った異物を捕捉する冷凍装置の異物捕捉方法を前提としている。
【００２４】
そして、上記冷凍装置の異物捕捉方法において、上記ガス側連絡配管（16）は、第１冷媒配管（4）及び第２冷媒配管（5）を並列に接続した並列配管（8）と、該第１冷媒配管（4）のみに装着されて冷媒中の異物を捕捉する冷媒配管用フィルタ（2）と、第１冷媒配管（4）へ冷媒を流す第１状態及び第２冷媒配管（5）へ冷媒を流す第２状態とに切り換え自在な切換手段（6,7）とを備え、試運転中に上記切換手段（6,7）を第１状態に切り換えて、冷媒回路（17）に冷凍サイクルを行わせ、冷媒中の異物を冷媒配管用フィルタ（2）で捕捉する第１工程と、試運転後に上記切換手段（6,7）を第２状態に切り換えて、冷媒回路（17）に冷凍サイクルを行わせる第２工程とを順に行うことを特徴としている。
【００２５】
第６の発明では、冷凍装置の試運転中に行われる第１工程において、上記切換手段（6,7）を第１状態にした後で冷媒回路（17）に冷凍サイクルを行わせることにより、冷媒回路（17）を流れる冷媒で冷媒回路（17）内の異物を押し流し、該異物を冷媒配管用フィルタ（2）で捕捉することができる。これにより、上記異物が、熱源側回路（13）に設けられた圧縮機（18）内に入り込むのを防止することができる。
【００２６】
そして、冷凍装置の試運転後に行われる第２工程において、上記切換手段（6,7）を第１状態から第２状態に切り換えた後で冷媒回路（17）に冷凍サイクルを行わせる。これにより、冷媒配管用フィルタ（2）による流動損失の影響で冷凍装置の性能が低下してしまうのを防止することができる。
【発明の効果】
【００２７】
本発明によれば、目的に応じて上記切換手段（6,7）を第１状態から第２状態へ、又は第２状態から第１状態へ自在に切り換えることができる。つまり、連絡配管（15,16）内の異物を捕捉したい場合には、上記切換手段（6,7）を第１状態にする。すると、上記異物は、冷媒とともに第１冷媒配管（4）に流入して上記冷媒配管用フィルタ（2）で捕捉される。一方、上記冷媒配管用フィルタ（2）で連絡配管（15,16）内の異物を捕捉した後は、上記切換手段（6,7）を第２状態にする。すると、冷媒は第２冷媒配管（5）を流れるので冷媒配管用フィルタ（2）の流動抵抗により冷凍装置の性能が低下することがない。
【００２８】
以上より、熱源側回路（13）と利用側回路（14）とが連絡配管（15,16）で接続された冷凍装置において、冷凍装置の性能に配慮しつつ連絡配管（15,16）内に残った異物を捕捉することができる。
【００２９】
また、上記第２の発明によれば、上記並列配管（8）と上記冷媒配管用フィルタ（2）と上記切換手段（6,7）とを各分岐配管（16b）に設けることができる。したがって、熱源側回路（13）が複数設けられた冷媒回路において、上記並列配管（8）と上記冷媒配管用フィルタ（2）と上記切換手段（6,7）とを上記主配管（16a）に設ける場合に比べて、確実に連絡配管（15,16）内の異物を捕捉することができる。
【００３０】
また、上記第３の発明によれば、上記冷媒配管用フィルタ（2）は、常設用フィルタ（34）とは違い、冷媒回路（17）に常設されるものではないので、フィルタのメッシュサイズを小さくすることができる。したがって、上記冷媒配管用フィルタ（2）において、常設用フィルタ（34）では捕捉できない細かな異物を捕捉することができる。
【００３１】
また、上記第４の発明によれば、第１開閉弁（6）及び第２開閉弁（7）を用いることにより、第１状態から第２状態へ、又は第２状態から第１状態へ確実に切り換えることができる。したがって、冷凍装置の性能に配慮しつつ連絡配管（15,16）内に残った異物を確実に捕捉することができる。
【００３２】
また、上記第５の発明によれば、第１状態から第２状態へ切り換えた場合において、上記第１開閉弁（6）を閉じることにより、第１状態で冷媒配管用フィルタ（2）が捕捉した異物を、該冷媒配管用フィルタ（2）と第１開閉弁（6）との間に閉じ込めることができる。したがって、第２状態において、熱源側回路（13）に設けられた圧縮機（18）内に異物が入り込むのを確実に防止することができる。
【００３３】
また、上記第６の発明によれば、試運転中に第１工程を行い、試運転後に第２工程を行うことにより、冷凍装置の性能に配慮しつつ、冷凍装置の設置工事中に冷媒回路（17）内に残った異物を捕捉することができる。
【発明を実施するための最良の形態】
【００３４】
以下、本発明の実施形態を図面に基づいて詳細に説明する。なお、以下では、先ず本発明の特徴であるフィルタキット（1）が適用される冷凍装置としての空気調和装置について説明し、次にフィルタキット（1）について説明する。
【００３５】
−空気調和装置の構成−
図１はこの実施形態に係る空気調和装置（10）の冷媒回路図である。
【００３６】
この空気調和装置（10）は、室外ユニット（11）と室内ユニット（12）とを備え、冷房運転と暖房運転とを切り換えて行うように構成されている。なお、室内ユニット（12）の台数は１台に限定されるものではなく複数であってもよい。
【００３７】
室外ユニット（11）内には、室外回路（熱源側回路）（13）が設けられている。室内ユニット（12）内には、室内回路（利用側回路）（14）が設けられている。この空気調和装置（10）では、室外回路（13）と室内回路（14）とを液側連絡配管（15）及びガス側連絡配管（16）で接続することによって蒸気圧縮冷凍サイクルを行う冷媒回路（17）が構成されている。
【００３８】
《室外ユニット》
室外ユニット（11）の室外回路（13）には、圧縮機（18）、四路切換弁（19）、室外熱交換器（20）、常設用フィルタ（34）、室外膨張弁（21a）及びアキュムレータ（29）が設けられている。室外回路（13）の一端には、液側連絡配管（15）が接続される液側閉鎖弁（25）が設けられている。室外回路（13）の他端には、ガス側連絡配管（16）が接続されるガス側閉鎖弁（26）が設けられている。
【００３９】
圧縮機（18）は、密閉型で高圧ドーム型の圧縮機により構成されている。圧縮機（18）の吐出側は、吐出管（27）を介して四路切換弁（19）の第１ポート（P1）に接続されている。圧縮機（18）の吸入側は、吸入管（28）を介して四路切換弁（19）の第３ポート（P3）に接続されている。
【００４０】
室外熱交換器（20）は、クロスフィン式のフィン・アンド・チューブ型熱交換器により構成されている。この室外熱交換器（20）の近傍には、室外ファン（22）が設けられている。この室外熱交換器（20）では、室外ファン（22）によって送られる室外空気と伝熱管を流通する冷媒との間で熱交換が行われる。室外熱交換器（20）の一端は、接続配管（24）を介して四路切換弁（19）の第４ポート（P4）に接続されている。室外熱交換器（20）の他端は、液配管（23）を介して液側閉鎖弁（25）に接続されている。また、四路切換弁（19）の第２ポート（P2）にはガス側閉鎖弁（26）が接続されている。
【００４１】
上記液配管（23）には、室外膨張弁（21a）と常設用フィルタ（34）とが設けられている。上記室外膨張弁（21a）は開度可変の電子膨張弁により構成されている。
【００４２】
上記常設用フィルタ（34）は、フィルタ収納部と、フィルタ収納部に内挿されるメッシュ部材とを備えている。このメッシュ部材は、一端が開口する有底筒状に加工され、開口から流入する異物を捕捉できるように構成されている。尚、このメッシュ部材のメッシュサイズは、なるべく冷媒の流動抵抗とならないように設定されており、だいたい２００メッシュ程度である。このメッシュサイズは、後述するフィルタキット（1）の冷媒配管用フィルタ（2）に設けられたメッシュ部材（2a）のメッシュサイズよりも大きい。
【００４３】
上記吸入管（28）には、密閉容器状に形成されたアキュムレータ（29）が設けられている。このアキュムレータ（29）は、上記圧縮機（18）へ向かう冷媒からガス冷媒と液冷媒とを分離し、上記ガス冷媒を流出し、上記液冷媒を内部に貯留するように構成されている。このアキュムレータ（29）により、上記圧縮機（18）が液冷媒を吸入しないようにしている。
【００４４】
四路切換弁（19）は、第１ポート（P1）と第４ポート（P4）が互いに連通して第２ポート（P2）と第３ポート（P3）が互いに連通する第１状態（図１に実線で示す状態）と、第１ポート（P1）と第２ポート（P2）が互いに連通して第３ポート（P3）と第４ポート（P4）が互いに連通する第２状態（図１に破線で示す状態）とが切り換え可能となっている。
【００４５】
《室内ユニット》
室内ユニット（12）の室内回路（14）には、室内熱交換器（30）及び室内膨張弁（21b）が設けられている。室内回路（14）の一端には、液側連絡配管（15）が接続される液側端部（32）が設けられている。室内回路（14）の他端には、ガス側連絡配管（16）が接続されるガス側端部（33）が設けられている。
【００４６】
室内熱交換器（30）は、クロスフィン式のフィン・アンド・チューブ型熱交換器により構成されている。この室内熱交換器（30）の近傍には、室内ファン（31）が設けられている。この室内熱交換器（30）では、室内ファン（31）によって送られる室内空気と伝熱管を流通する冷媒との間で熱交換が行われる。
【００４７】
上記室内膨張弁（21b）は開度可変の電子膨張弁により構成されている。
【００４８】
《フィルタキット》
上記フィルタキット（1）は、新設した空気調和装置の連絡配管（15,16）内に残った異物を捕捉するために用いられるものである。このフィルタキット（1）は、図２に示すように、切換手段としての第１、第２閉鎖弁（第１、第２開閉弁）（6,7）と並列配管（8）と冷媒配管用フィルタ（2）とを備えている。具体的には、上記並列配管（8）は、第１冷媒配管（4）と第２冷媒配管（5）とを並列に接続して構成されている。そして、両方の冷媒配管（4,5）にはそれぞれ閉鎖弁（6,7）が設けられ、該第１冷媒配管（4）にはさらに冷媒配管用フィルタ（2）が設けられている。尚、第１閉鎖弁（6）は、冷媒配管用フィルタ（2）に対して室内回路（14）側に設けられている。
【００４９】
上記第１、第２閉鎖弁（6,7）は、該各閉鎖弁（6,7）の内部に形成された冷媒通路を開閉する弁体が設けられるとともに、冷媒ポートと配管接続用のフランジとが一体形成されている。上記各フランジは、該フランジの開口が上記各冷媒通路の一方の開口部と連通するように設けられている。上記各冷媒ポートは、各弁体が冷媒通路を閉鎖した時に該弁体に対して室外回路（13）側にある冷媒通路に連通するように構成されている。又、上記各冷媒通路の他方の開口部には該閉鎖弁（6,7）を固定するための固定用配管が接続されている。本実施形態では、この各固定用配管が第１、第２冷媒配管（4,5）にそれぞれロウ付けにより接合されている。
【００５０】
上記冷媒配管用フィルタ（2）は、略円筒状に膨出したフィルタ収納部と、フィルタ収納部に内挿されるメッシュ部材（2a）とを備えている。このメッシュ部材（2a）は、一端が開口する有底筒状に加工され、開口から流入する異物を捕捉できるように構成されている。尚、この開口が第１閉鎖弁（6）側となるように、第１冷媒配管（4）に冷媒配管用フィルタ（2）を取り付ける。又、このメッシュ部材（2a）のメッシュサイズは１０００メッシュ程度である。
【００５１】
−空気調和装置の運転動作−
次に、空気調和装置（10）の運転動作について説明する。この空気調和装置（10）は、四路切換弁（19）の切り換えによって冷房運転と暖房運転とが実行可能になっている。
【００５２】
<冷房運転>
冷房運転では、四路切換弁（19）が第１状態に設定される。そして、この状態で圧縮機（18）を運転すると、冷媒回路（17）では室外熱交換器（20）が凝縮器となって室内熱交換器（30）が蒸発器となる蒸気圧縮冷凍サイクルが行われる。なお、冷房運転では、室外膨張弁（21a）の開度が全開に設定され、室内膨張弁（21b）の開度が適宜調節される。
【００５３】
この状態で、圧縮機（18）から吐出された冷媒は、室外熱交換器（20）で室外空気と熱交換して凝縮する。室外熱交換器（20）で凝縮した冷媒は、室内膨張弁（21b）を通過する際に減圧され、その後に室内熱交換器（30）で室内空気と熱交換して蒸発する。室内熱交換器（30）で蒸発した冷媒は、圧縮機（18）へ吸入されて圧縮される。以上のように冷媒が冷媒回路（17）内を循環して室内が冷却される。
【００５４】
<暖房運転>
暖房運転では、四路切換弁（19）が第２状態に設定される。そして、この状態で圧縮機（18）を運転すると、冷媒回路（17）では室内熱交換器（30）が凝縮器となって室外熱交換器（20）が蒸発器となる蒸気圧縮冷凍サイクルが行われる。なお、暖房運転においても、室外膨張弁（21a）の開度が適宜調節される。
【００５５】
この状態で、圧縮機（18）から吐出された冷媒は、室内熱交換器（30）で室内空気と熱交換して凝縮する。室内熱交換器（30）で凝縮した冷媒は、室外膨張弁（21a）を通過する際に減圧され、その後に室外熱交換器（20）で室外空気と熱交換して蒸発する。室外熱交換器（20）で蒸発した冷媒は、圧縮機（18）へ吸入されて圧縮される。以上のように冷媒が冷媒回路（17）内を循環して室内が加熱される。
【００５６】
−フィルタキットを用いた異物捕捉作業−
上記フィルタキット（1）を用いた異物捕捉作業は、空気調和装置の設置作業の終了後に連絡配管（15,16）内に残った異物を捕捉するために行われる。まず、空気調和装置の設置作業において行われるフィルタキット（1）の取付作業について説明した後、上記異物捕捉作業について説明する。
【００５７】
空気調和装置の設置作業において、室外ユニット（11）及び室内ユニット（12）を据付場所に据え付ける。そして、設置現場で作製した液側連絡配管（15）及びガス側連絡配管（16）により室外ユニット（11）と室内ユニット（12）とを接続する。
【００５８】
具体的に、長尺の配管を所望の長さに切断する。この切断した配管を継ぎ合わせ、その継ぎ合わせた部分をガスバーナー等で加熱する。そして、この加熱した部分にロウ材を押し付けて溶かす。そして、この溶けたロウ材を継ぎ合わせた部分の隙間に流し込んで各配管同士を接合する。この配管の継ぎ合わせと継ぎ合わせた部分のロウ付けとを繰り返し行いながら、液側連絡配管（15）及びガス側連絡配管（16）を延ばしていき、最終的に両方のユニットを接合する。
【００５９】
尚、この連絡配管（15,16）の作製時において、長尺の配管の切断時に発生する金属紛、又はロウ付け時に加熱した配管の内面部分に生じる酸化物等の異物が連絡配管（15,16）内に残ってしまう場合がある。この異物を上記フィルタキット（1）を用いて捕捉する。
【００６０】
ここで、ガス側連絡配管（16）を作製する際に、一箇所だけ継ぎ合わせない部分を設ける。この部分は熱源側回路（13）の近傍である。この部分では、室外回路（13）から延びるガス側連絡配管（16）の管端と室内回路（14）から延びるガス側連絡配管（16）の管端とが所定の距離を空けてそれぞれ対向している。この対向する管端の間にフィルタキット（1）を取り付ける。
【００６１】
空気調和装置の設置作業が完了すると、次に冷房試運転が行われる。この冷房試運転において、第１閉鎖弁（6）を開状態に、第２閉鎖弁（7）を閉状態にする。この状態が切換手段における第１状態である。この状態で圧縮機（18）を運転すると、冷媒回路（17）内を冷媒が循環する。そして、この循環する冷媒が両方の連絡配管（15,16）内に残った異物を押し流す。押し流された異物は、第１閉鎖弁（6）を経て第１冷媒配管（4）に流入するとともに、冷媒配管用フィルタ（2）のメッシュ部材（2a）で捕捉される。このように冷房試運転中に、上記異物がメッシュ部材（2a）に捕捉されていく。
【００６２】
この冷房試運転を所定時間行った後、圧縮機（18）を停止する。そして、この状態において、第１閉鎖弁（6）を閉状態に、第２閉鎖弁（7）を開状態にする。この状態が切換手段における第２状態である。尚、この所定時間は、連絡配管（15,16）内に残った異物が冷媒配管用フィルタ（2）で捕捉されるのに十分な時間を設定する。ここで、冷房試運転の時間が制約される場合には、この所定時間が冷房試運転時間を超えてしまうことが考えられる。その場合は、冷房試運転後の通常運転時において、所定時間の経過後に第２状態に切り換えてもよい。そして、この第２状態で、空気調和装置の運転が行われる。
【００６３】
−実施形態の効果−
本実施形態によれば、上記第１、第２閉鎖弁（6,7）を用いて、フィルタキット（1）を第１状態から第２状態へ、又は第２状態から第１状態へ自在に切り換えることができる。つまり、連絡配管（15,16）内の異物を捕捉したい場合には、フィルタキット（1）を第１状態にする。すると、上記異物は、冷媒とともに第１冷媒配管（4）に流入して上記冷媒配管用フィルタ（2）で捕捉される。一方、上記冷媒配管用フィルタ（2）で連絡配管（15,16）内の異物を捕捉した後は、フィルタキット（1）を第２状態にする。すると、冷媒は第２冷媒配管（5）の方に流れ、第１冷媒配管（4）の方には流れなくなるので、冷媒配管用フィルタ（2）の流動抵抗により冷凍装置の性能が低下することがない。
【００６４】
以上より、熱源側回路（13）と利用側回路（14）とが連絡配管（15,16）で接続された冷凍装置において、冷凍装置の性能に配慮しつつ連絡配管（15,16）内に残った異物を捕捉することができる。
【００６５】
又、本実施形態によれば、上記冷媒配管用フィルタ（2）は、常設用フィルタ（34）とは違い、冷媒回路（17）に常設されるものではないので、フィルタのメッシュサイズを小さくすることができる。したがって、上記冷媒配管用フィルタ（2）において、常設用フィルタ（34）では捕捉できない細かな異物を捕捉することができる。
【００６６】
又、本実施形態によれば、第１閉鎖弁（6）及び第２閉鎖弁（7）を用いることにより、フィルタキット（1）を第１状態から第２状態へ、又は第２状態から第１状態へ確実に切り換えることができる。したがって、冷凍装置の性能に配慮しつつ連絡配管（15,16）内に残った異物を確実に捕捉することができる。
【００６７】
又、本実施形態によれば、フィルタキット（1）を第１状態から第２状態へ切り換えた場合において、上記第１閉鎖弁（6）を閉じることにより、第１状態で冷媒配管用フィルタ（2）が捕捉した異物を、該冷媒配管用フィルタ（2）と第１閉鎖弁（6）との間に閉じ込めることができる。したがって、第２状態において、室外回路（13）に設けられた圧縮機（18）内に異物が入り込むのを確実に防止することができる。
【００６８】
−実施形態の変形例−
本実施形態との違いは、図３に示すように、室外ユニット（11）が連絡配管（15,16）に対して並列に複数設けられている点である。これにより、各連絡配管（15,16）が、本実施形態とは違い、主配管（16a）と該主配管（16a）から分岐した複数の分岐配管（16b）とで構成されている。そして、上記各分岐配管（16b）の端部に各室外ユニット（11）が接続されている。尚、上記変形例では、３つの室外ユニット（11）が示されているが、これは例示であり、上記室外ユニット（11）が２台のみ、又は４台以上設けられてもよい。
【００６９】
この変形例では、上記ガス側連絡配管（16）の各分岐配管（16b）にそれぞれフィルタキット（1）が設けられている。このように構成すると、上記ガス側連絡配管（16）の主配管（16a）にフィルタキット（1）を取り付けた場合に比べて、確実に連絡配管（15,16）内の異物を捕捉することができる。つまり、上記主配管（16a）にフィルタキット（1）を取り付けると、該フィルタキット（1）の下流側に上記分岐配管（16b）が配置されてしまう。そうなると、設置作業の終了時に分岐配管（16b）内に残った異物は、フィルタキット（1）で捕捉されないまま室外ユニット（11）の方へ押し流されてしまう。
【００７０】
したがって、上記室外ユニット（11）が複数設けられている場合には、各分岐配管（16b）ごとにフィルタキット（1）を設けることにより、主配管（16a）にフィルタキット（1）を取り付けた場合に比べて、確実に連絡配管（15,16）内の異物を捕捉することができる。
【００７１】
《その他の実施形態》
上記実施形態については、以下のような構成としてもよい。
【００７２】
本実施形態では、新設した空気調和装置の連絡配管（15,16）内に残った異物を捕捉するためにフィルタキット（1）を用いたが、これに限定される必要はなく、例えば、空気調和装置を更新する際に用いてもよい。
【００７３】
なお、以上の実施形態は、本質的に好ましい例示であって、本発明、その適用物、あるいはその用途の範囲を制限することを意図するものではない。
【産業上の利用可能性】
【００７４】
以上説明したように、本発明は、冷凍サイクルを行う冷媒回路を備えた冷凍装置に関し、特に冷媒回路内の異物を回収する技術について有用である。
【図面の簡単な説明】
【００７５】
【図１】本発明の実施形態に係る空気調和装置の冷媒回路図である。
【図２】実施形態に係るフィルタキットの外形図である。
【図３】実施形態の変形例に係る空気調和装置の冷媒回路図である。
【符号の説明】
【００７６】
１      フィルタキット
２      冷媒配管用冷媒フィルタ
２ａ    メッシュ部材
４      第１冷媒配管
５      第２冷媒配管
６      第１閉鎖弁（第１開閉弁）
７      第２閉鎖弁（第２開閉弁）
８      並列配管
１０      空気調和装置
１１      室外ユニット
１２      室内ユニット
１３      室外回路（熱源側回路）
１４      室内回路（利用側回路）
１５      液側連絡配管
１６      ガス側連絡配管
１７      冷媒回路
１８      圧縮機 
１９      四路切換弁
２０      室外熱交換器
２１ａ    室外膨張弁
２１ｂ    室内膨張弁
２９      アキュムレータ
３０      室内熱交換器
３４      常設用フィルタ
【図１】
2009192181.tif 000003
【図２】
2009192181.tif 000004
【図３】
2009192181.tif 000005